(57)【要約】【課題】軽量かつ簡易な構成でありながら、風の進行方向に関わらず飛散やテーブルからの落下を防止でき、また箸等を無造作に置いてもこれを確実に保持可能な軽量皿を提供する。【解決手段】植物繊維からなる軽量皿１は、食品を上面２Ａに載置する載置部２と、この載置部２を取り囲む側壁３を備え、側壁３は、その上縁３ａから下縁３ｂにかけて側面視で下に凸の曲線状をなし、下縁３ｂは、その全周が軽量皿１を設置する設置面へ接触可能に延設される。【選択図】図１
2020005671.tif 000002
【特許請求の範囲】
【請求項１】
植物繊維、合成樹脂及び金属のうちの少なくとも１種類からなる軽量皿であって、
食品を上面に載置する載置部と、この載置部を取り囲む側壁を備え、
前記側壁は、その上縁から下縁にかけて側面視で下に凸の曲線状をなし、
前記下縁は、その全周が前記軽量皿を設置する設置面へ接触可能に延設されることを特徴とする軽量皿。
【請求項２】
前記側壁は、前記載置部の中心部を中心として放射線状に凸部が形成されることを特徴とする請求項１に記載の軽量皿。
【請求項３】
前記載置部の底部が側面視で前記側壁の前記上縁から前記下縁の間の高さに位置することで、前記上縁と前記下縁の上下方向を逆転させて裏返した場合に、前記載置部における前記上面の裏面に食品を載置し得るリバーシブル構造をなすことを特徴とする請求項１又は請求項２に記載の軽量皿。
【請求項４】
前記上縁は、側面視で、突出部が繰り返されてなる第１の繰り返し構造、又は溝部が繰り返されてなる第２の繰り返し構造、又は前記突出部と前記溝部が交互に繰り返されてなる第３の繰り返し構造のいずれかをなすことを特徴とする請求項１乃至請求項３のいずれか１項に記載の軽量皿。
【発明の詳細な説明】
【技術分野】
【０００１】
本発明は、植物繊維、合成樹脂等の原材料からなる軽量皿に係り、特に、風を受けても飛び難い形状の軽量皿に関する。
【背景技術】
【０００２】
従来、例えばイベントやバーベキューといったような屋外での食事の際には、複数人が参加する場合が多いことから、運搬や洗浄の負担を軽減するために紙や金属箔からなる軽量の皿を使用することが一般的である。
このような軽量の皿としては、例えば、特許文献１に、「紙皿」という名称で屋外での使用に好適な紙皿が開示されている。特許文献１に開示された紙皿は、食品を盛り付ける底面板部と、この底面板部の周縁部から立ち上がった周壁板部と、この周壁板部の上端部から外方かつ斜め下方に延出した内側フランジ部と、この内側フランジ部の先端部から外方かつ斜め下方に折り曲げられて延出された幅が小さい外側フランジ部を備えることを特徴とする。このような特徴を有する考案においては、外側フランジ部が内側フランジ部の変形を抑制するため、これらフランジ部の保形性を向上できる。
【０００３】
しかし、特許文献１に開示された考案を屋外で使用する際には、軽量であるがゆえに風によって皿が煽られ、飛散したり、ひっくり返ったりすることが多いという課題があった。
このように皿が風に煽られる理由は、皿の周壁板部の外方端である外側フランジ部が底面板部よりも上方に位置する構成のために、内側フランジ部の下側に風が侵入可能であることによると考えられる。
そこで、外側フランジ部を底面板部と同じ高さに延設させることにより、内側フランジ部の下側に風が侵入することを防止できる可能性がある。このような構成を備える軽量の皿としては、例えば、特許文献２に、「ペット給餌用紙皿」という名称で、野外等においてペットに給餌するための紙皿が開示されている。なお、特許文献２に係る考案は、野外等においてペットに給餌する際や携行に便利であり、かつ使い捨てが可能となることを目的としている。すなわち、特許文献２に係る考案は、本願発明のように風による皿の飛散防止を目的としたものではないが、仮に特許文献２に係る考案を本願発明の課題解決のために適用した場合、飛散防止効果を十分に発揮可能であるか否かについて、以下に検討する。
【０００４】
特許文献２に開示されたペット給餌用紙皿は、環状の周壁部と、周壁部の上縁から、内方かつ下方に半凹球状に潜るように形成された皿部からなり、周壁部の下縁は地面に接地していることを特徴とする。
このような特徴を有する考案においては、周壁部の下縁すべてが地面に接しているため、周壁部と皿部の間に風が侵入することが防止されるものと考えられる。そのため、特許文献２に係る考案は、上記の飛散防止効果を発揮し得る可能性がある。
【０００５】
また、さらなる課題として、屋外で皿を使用する際には、箸やフォーク、スプーン（以下、箸等という。）を一時的に皿の上に置きたい場合があるが、皿の外周縁は一般的に滑らかであるため、箸等を置くと滑り落ちて不潔になってしまうというものがある。
この課題を解決するために、箸等を保持可能な簡易食器に関する技術が既に開発されており、例えば、特許文献３には、「簡易食器」という名称で、使用中の箸等を簡単に残置できる食器が開示されている。特許文献３に開示された考案は、紙または発泡スチロールで形成される簡易食器であって、その外周の一箇所に箸等を一時的に保持できる切り込みや突起を設けたことを特徴とする。
このような特徴を有する考案においては、切り込みや突起に箸等の柄または握りの部分を簡単に挿入して保持できるので、箸等が落下して使用できなくなることを防ぐことができる。
【先行技術文献】
【特許文献】
【０００６】
【特許文献１】登録実用新案第３１７１９８７号公報
【特許文献２】登録実用新案第３１７７２９２公報
【特許文献３】登録実用新案第３２１０８８９号公報
【発明の概要】
【発明が解決しようとする課題】
【０００７】
しかしながら、特許文献２に開示された考案においては、周壁部の上縁から下縁にかけて、側面視で地面に対して直線的に強く傾斜している。そのため、周壁部の横方向から風が吹いてきた場合には、周壁部が風の進行方向へ押されてテーブル上を滑り、その縁から落下する可能性がある。
さらに、特許文献２に開示された考案においては、その図２で使用された符号をそのまま用いて説明すると、フランジ部４の先端部４ａが地面５から浮き上がっているため、風がフランジ部４と地面５の隙間に入り、給餌用皿１全体が飛ばされてしまう可能性がある。
したがって、特許文献２に係る考案を本願発明の課題解決のために適用した場合、飛散防止効果を十分に発揮可能であるとは言えないおそれがある。
また、皿部３が半球状に下方へ凹んでおり、最も低い外底部３ｂは、特許文献２の図４乃至６に示されたように地面５に接触する場合があることから、このとき外底部３ｂが不潔になって給餌用皿１を裏返してリバーシブルに使用することができない。
【０００８】
次に、特許文献３に開示された考案においては、切り込みや突起は簡易食器の外周縁の一箇所に設けられることから、この一箇所の切り込み等へ箸等を嵌め込むことが必要である。そのため、この点にあまり注意することなく箸等を外周縁に置くと、うまく箸等を保持できないおそれがある。また、突起が設けられる場合には、使用するにつれて突起が折れ曲がったり、逆に伸展したりすることがあるため、やはり箸等を保持できなくなるおそれがある。
【０００９】
本発明は、このような従来の事情に対処してなされたものであり、軽量かつ簡易な構成でありながら、風の進行方向に関わらず飛散やテーブルからの落下を防止でき、また箸等を無造作に置いてもこれを確実に保持可能な軽量皿を提供することを目的とする。
【課題を解決するための手段】
【００１０】
上記目的を達成するため、第１の発明は、植物繊維、合成樹脂及び金属のうちの少なくとも１種類からなる軽量皿であって、食品を上面に載置する載置部と、この載置部を取り囲む側壁を備え、側壁は、その上縁から下縁にかけて側面視で下に凸の曲線状をなし、下縁は、その全周が軽量皿を設置する設置面へ接触可能に延設されることを特徴とする。
このような構成の発明においては、側壁の下縁の全周が軽量皿を設置する設置面へ接触可能に延設されることから、下縁のどの位置からも、設置面と下縁の間に風が侵入することが防止される。そのため、設置面と載置部の間に風が侵入することが防止され、軽量皿が煽られて飛散したり、ひっくり返ったりしない。
また、側壁は、その上縁から下縁にかけて側面視で下に凸の曲線状をなしているため、側壁の横方向から風が吹いてきた場合には、風が側壁に沿って上縁に向かって上昇する。よって、側壁の横方向から吹いてきた風は、速やかに上縁を超えて軽量皿の上方へ逃がされることから、軽量皿が風の進行方向へ押されて設置面上を滑り、その縁から落下することが防止される。
【００１１】
次に、第２の発明は、第１の発明において、側壁は、載置部の中心部を中心として放射線状に凸部が形成されることを特徴とする。
このような構成の発明においては、第１の発明の作用に加えて、載置部の中心部を中心として放射線状に凸部が形成されることにより、指が凸部、又は凸部と凸部の間に係止され易いという作用を有する。
また、上記構成により、側壁の横方向から風が吹いてきた場合、凸部と凸部の間に風が流れ込むため、風が載置部の中心部を中心として均等に整流される。
【００１２】
続いて、第３の発明は、第１又は第２の発明において、載置部の底部が側面視で側壁の上縁から下縁の間の高さに位置することで、上縁と下縁の上下方向を逆転させて裏返した場合に、載置部における上面の裏面に食品を載置し得るリバーシブル構造をなすことを特徴とする。
このような構成の発明において、リバーシブル構造とは、軽量皿自体の形状を変更するのではなく、形状は不変のままで軽量皿の上下方向を裏返すとき、載置部における上面に代えて、上面の裏面もまた食品を載置可能であることを意味する。なお、載置部の上面に載置される食品と、載置部の裏面に載置される食品は、互いに異なるものであっても良いし、同一であっても良い。なお、本発明において、「側面視」とは、側面から載置部を透視可能であることも含んでいる。
上記構成の発明においては、第１又は第２の発明の作用に加えて、載置部は、その底部が側面視で側壁の上縁から下縁の間の高さに位置することから、底部が常に設置面に接触しない。したがって、軽量皿を上縁と下縁の上下方向を逆転させて裏返した場合においても、載置部の裏面は清潔性が維持されている。
【００１３】
さらに、第４の発明は、第１乃至第３のいずれかの発明において、上縁は、側面視で、突出部が繰り返されてなる第１の繰り返し構造、又は溝部が繰り返されてなる第２の繰り返し構造、又は突出部と溝部が交互に繰り返されてなる第３の繰り返し構造のいずれかをなすことを特徴とする。
このような構成の発明において、突出部とは、軽量皿の下縁を下方にして水平な設置面に載置し、側面視した場合に、上縁の高さが鉛直上方側へ突出している部分をいい、溝部とは同様の場合に上縁の高さが鉛直上方側へ突出している部分をいう。
【００１４】
また、第１の繰り返し構造としては、例えば、同一形状をなす複数の突出部がそれぞれ間隔を空けて上縁の周方向に沿って繰り返されている構造や、高さの高い突出部と、この突出部に連なる高さの低い溝部からなる１組の配列が、上縁の周方向に沿って繰り返されている構造がある。さらに、第２の繰り返し構造としては、例えば、同一形状をなす複数の溝部がそれぞれ間隔を空けて上縁の周方向に沿って繰り返されている構造や、深さの深い溝部と、この溝部に連なる深さの浅い溝部からなる１組の配列が、上縁の周方向に沿って繰り返されている構造がある。そして、第３の繰り返し構造としては、例えば、突出部と、この突出部に連なる溝部からなる１組の配列が、上縁の周方向に沿って間隔を空けて、又は間隔を空けずに繰り返されている構造がある。
上記構成の発明においては、第１乃至第３のいずれかの発明の作用に加えて、第１の繰り返し構造においては、同一形状の突出部同士の間や、高さの低い突出部に箸等が係止される。また、第２の繰り返し構造においては、同一形状の溝部や、深さの深い溝部に箸等が係止される。そして、第３の繰り返し構造においては、溝部に箸等が係止される。すなわち、上記３通りの繰り返し構造においては、いずれも載置部の上縁の複数箇所に突出部又は溝部が形成されているので、箸等は複数の突出部や複数の溝部のうちのいずれかにもれなく係止される。
【発明の効果】
【００１５】
第１の発明によれば、設置面と載置部の間に風が侵入することが防止されて軽量皿が飛散等しないため、周囲の汚染や、食品が無駄になることを防止することができる。また、側壁の横方向から吹いてきた風によっても軽量皿が風の進行方向へ押されることが防止されるため、風の進行方向に関わらず飛散やテーブルから軽量皿が落下することを防止できる。
【００１６】
第２の発明によれば、第１の発明の効果に加えて、指が凸部、又は凸部と凸部の間に係止され易いため、側壁の下縁の全周が設置面へ接触していることによって生じる持ち難さを解消することが可能である。
また、載置部の中心部を中心として放射線状に凸部が形成されることにより、側壁の横方向から吹いてきた風が、風が載置部の中心部を中心として均等に整流されることから、風が吹いてきた方向によっては軽量皿が設置面に沿って移動するといった不利益を防止することができる。
【００１７】
第３の発明によれば、第１又は第２の発明の効果に加えて、軽量皿を上縁と下縁の上下方向を逆転させて裏返した場合においても、載置部の裏面は清潔性が維持されているので、載置部の両面に食品を盛り付けることができる。よって、皿の枚数が不足している場合や、味を混合させたくない食品を摂取する場合に、便利である。
【００１８】
第４の発明によれば、第１乃至第３のいずれかの発明の効果に加えて、箸等は複数の突出部又は複数の溝部のうちのいずれかにもれなく係止されることから、食事の最中に箸等を側壁の上縁に必要な都度置くことができて使い勝手が良い。また、無造作に箸等を置いた場合や風で押された場合であっても落下せず、交換をしなくて済むという有利な効果を有する。
【図面の簡単な説明】
【００１９】
【図１】（ａ）は実施例に係る軽量皿を側面視した場合の外観図であり、（ｂ）は（ａ）におけるＡ線矢視図である。
【図２】（ａ）及び（ｂ）はいずれも実施例に係る軽量皿を側面視した場合の外観図であり、（ａ）は実施例に係る軽量皿の下縁を設置面に接触させて使用する場合であり、（ｂ）は実施例に係る軽量皿を上縁と下縁の上下方向を逆転させて裏返して使用する場合を示したものである。
【図３】実施例に係る軽量皿の上縁に箸を仮置きした状態を示す斜視図である。
【図４】（ａ）は実施例の第１の変形例に係る軽量皿を側面視した場合の外観図であり、（ｂ）は（ａ）におけるＢ線矢視図である。
【図５】（ａ）は実施例の第２の変形例に係る軽量皿を側面視した場合の外観図であり、（ｂ）は（ａ）におけるＣ線矢視図である。
【図６】（ａ）は実施例の第３の変形例に係る軽量皿を側面視した場合の外観図であり、（ｂ）は（ａ）におけるＤ線矢視図である。
【発明を実施するための形態】
【実施例】
【００２０】
本発明の実施の形態に係る軽量皿について、図１乃至図６を用いて詳細に説明する。図１（ａ）は実施例に係る軽量皿を側面視した場合の外観図であり、図１（ｂ）は図１（ａ）におけるＡ線矢視図である。
図１（ａ）及び図１（ｂ）に示すように、実施例に係る軽量皿１は、その全体が植物繊維からなる紙製の円形をなす軽量皿である。
この軽量皿１は、食品を上面２Ａに載置する載置部２と、この載置部２を取り囲む側壁３を備える。
このうち、載置部２は、凹凸のない平面状をなす底部２ａと、この底部２ａから上方へ向かって斜めに立ち上がる傾斜部２ｂからなる。
側壁３は、その上縁３ａから下縁３ｂにかけて側面視で下に凸の曲線状をなし、下縁３ｂは、その全周が軽量皿１を設置する設置面５０（図２参照）へ接触可能に延設される。すなわち、軽量皿１においては、下縁３ｂの全周と設置面５０の間に隙間が形成されないので、下縁３ｂのどの位置からも、載置部２の下側に風Ｗ１が侵入し難い構成となっている。なお、上記構成の軽量皿１は、１枚の紙材をプレス成形することにより、載置部２や側壁３の各部が一体的に形成される。
【００２１】
軽量皿１の具体的な寸法は、上縁３ａの直径Ｄ１が１２ｃｍ、下縁３ｂの直径Ｄ２が１８ｃｍ、載置部２の底部２ａの直径Ｄ３が１１ｃｍ、下縁３ｂから突出部６の頂部までの高さＨ１が５ｃｍ、下縁３ｂから溝部７の最下部までの高さＨ２が４ｃｍである。この場合、側面視において、側壁３の上縁３ａの一方の最外点αと下縁３ｂの一方の最外点βを結ぶ直線Ｌが下縁３ｂに対してなす角θの大きさは約５０度である。よって、側壁３が上縁３ａから下縁３ｂにかけて下に凸の曲線状をなすためには、下縁３ｂの周縁から側壁３が立ち上がる角度は約５０度よりも小さくすることが必要である。
【００２２】
また、図１（ｂ）に示すように、側壁３は、上縁３ａ寄りに、載置部２の中心部２ｃを中心として２０度毎の放射線状に凸部４と凹部５が交互に形成される。なお、載置部２の下側に風Ｗ１が侵入することを防止するため、側壁３の下縁３ｂ寄りでは凹部５は消滅している。ただし、凸部４は、載置部２の下側に風Ｗ１が侵入することを防止可能である限り、下縁３ｂ寄りの位置で必ずしも消滅しなくてよい。また、凸部４と凹部５の境界は連続する滑らかな曲面となっている。
【００２３】
次に、載置部２の構成について、図２を用いながらより詳細に説明する。図２（ａ）及び図２（ｂ）はいずれも実施例に係る軽量皿を側面視した場合の外観図であり、図２（ａ）は実施例に係る軽量皿の下縁を設置面に接触させて使用する場合であり、図２（ｂ）は実施例に係る軽量皿を上縁と下縁の上下方向を逆転させて裏返して使用する場合を示したものである。なお、図１で示した構成要素については、図２においても同一の符号を付して、その説明を省略する。
図２（ａ）に示すように、軽量皿１の載置部２は、側壁３の下縁３ｂが全周に亘って設置面５０へ接触する際に、底部２ａが側面視で水平に維持されているとともに側壁３の上縁３ａから下縁３ｂのほぼ中間の高さに位置する。よって、図２（ｂ）に示すように、軽量皿１を上縁３ａと下縁３ｂの上下方向を逆転させて裏返した場合に、載置部２は、その上面２Ａの裏面２Ｂに食品を載置し得るリバーシブル構造をなす。このとき、複数の突出部６のうち最も下方に位置することになる部分がすべて設置面５０へ接触することで、底部２ａが水平に維持される。
【００２４】
さらに、側壁３の上縁３ａについて、図１乃至図３を用いながら詳細に説明する。図３は、実施例に係る軽量皿の上縁に箸を仮置きした状態を示す斜視図である。なお、図１及び図２で示した構成要素については、図３においても同一の符号を付して、その説明を省略する。
図１及び図２に示したように、上縁３ａは、側面視で、突出部６と溝部７がサインカーブを描くように交互に繰り返されてなる第３の繰り返し構造をなす。これら突出部６及び溝部７は、上縁３ａに箸等を係止するために設けられるものである。
また、突出部６は凸部４の上方に連続して形成され、溝部７は凹部５の上方に連続して形成される。したがって、図３に示すように、突出部６は上に凸の一定面積を有する曲面形状をなし、溝部７は下に凸の一定面積を有する曲面形状をなしている。これにより、箸５１の両端が複数の溝部７のうちの任意の２箇所に架け渡されることで、箸５１が溝部７，７に係止される。
なお、凸部４と凹部５の場合と同様に、突出部６及び溝部７の境界は連続する滑らかな曲面となっている。
【００２５】
上記構成の軽量皿１においては、図１（ａ）に示すように、側壁３の下縁３ｂのどの位置からも、載置部２の下側に風Ｗ１が侵入し難い構成となっている。そのため、設置面５０（図２参照）と載置部２の間に風Ｗ１が侵入することが防止され、軽量皿１が煽られて飛散したり、ひっくり返ったりすることがない。
また、側壁３は、その上縁３ａから下縁３ｂにかけて側面視で下に凸の曲線状をなしているため、側壁３の横方向から風Ｗ１が吹いてきた場合には、風Ｗ１が側壁３に沿って上縁３ａに向かって上昇する（矢印Ｗ２）。よって、風Ｗ１は、速やかに上縁３ａを超えて軽量皿１の上方へと逃がされる（矢印Ｗ３）。したがって、軽量皿１は、風Ｗ１が余程の強風でない限り、その風圧で風Ｗ１の進行方向へ押されて、設置面５０上を滑ることが防止される。
【００２６】
そして、軽量皿１においては、図１（ｂ）に示すように、載置部２の中心部２ｃを中心として放射線状に凸部４と凹部５が交互に形成されることによって指が凸部４、又は凹部５に係止される。また、溝部７にも指を係止できる。そのため、下縁３ｂを設置面５０へ接触させて使用する場合に、側壁３を持つときに指が滑らず軽量皿１が保持され易いという作用を有する。
さらに、上記構成では、側壁３の横方向から風Ｗ１が吹いてきた場合、複数の凹部５のうち、風Ｗ１が吹いてきた側にあるもののいずれかに風Ｗ１が流れ込む。さらに、凸部４と凹部５は中心部２ｃを中心として均等に分布しているため、風Ｗ１がいずれの横方向から吹いてきた場合でも、その方向に対応する凸部４と凹部５によって風Ｗ１は中心部２ｃを中心として均等に整流される。なお、風が吹いてくる方向は、現実には千差万別であるが、少なくとも側壁３の横方向から吹いてきた風Ｗ１に対しては、軽量皿１の飛散等を防止する作用を有する。
【００２７】
加えて、載置部２の底部２ａが側面視で側壁３の上縁３ａから下縁３ｂの間の高さに位置することから、下縁３ｂを設置面５０へ接触させる場合と、底部２ａと上縁３ａの上下方向を逆転させて裏返し上縁３ａを設置面５０へ接触させる場合のいずれにおいても、底部２ａが設置面５０から離れた高さに位置するので、底部２ａが常に設置面５０に接触しない。したがって載置部２の上面２Ａに食品を載置する場合と、載置部２の裏面２Ｂに食品を載置する場合の双方において、上面２Ａと裏面２Ｂは清潔性が維持されている。
また、下縁３ｂを設置面５０へ接触させる場合と、上縁３ａを設置面５０へ接触させる場合のいずれにおいても、載置部２の底部２ａが水平に維持される。
【００２８】
以上説明したように、実施例に係る軽量皿１によれば、設置面５０と載置部２の間に風Ｗ１が侵入することが防止され、軽量皿１が煽られて飛散したり、ひっくり返ったりすることがないので、周囲の汚染や、食品が無駄になることを防止することができる。また、軽量皿１は、横方向からの風Ｗ１の風圧でその進行方向へ押されて、設置面５０上を滑ることが防止されるため、風Ｗ１の進行方向に関わらず、飛散や落下を防止できる。
また、軽量皿１は、１枚の紙材をプレス成形することにより、載置部２や側壁３の各部が一体的に形成されるので、軽量かつ簡易な構成とすることができる。そのため、一括して大量に軽量皿１を生産でき、安価に消費者へ提供することが可能である。しかも、軽量皿１の形状はあたかも富士山のようであり美的であることから、デザイン面においても特に子供、女性又は外国人の購買意欲をそそり販売量が向上することが期待できる。
【００２９】
さらに、軽量皿１によれば、指が凸部４や凹部５、又は溝部７に係止されるため、下縁３ｂと設置面５０との間に隙間がないにもかかわらず、手間取ることなく軽量皿１を持ち上げることができる。一方、上縁３ａを設置面５０へ接触させて使用する場合では、下縁３ｂを容易に掴むことが可能であるので、やはり手間取ることなく軽量皿１を持ち上げることができる。
加えて、軽量皿１によれば、突出部６及び溝部７が上縁３ａの周方向に沿って第３の繰り返し構造をなすことから、箸５１等を複数の溝部７のうちの任意の２箇所に係止することができる。よって、食事の最中に箸５１等を必要な都度上縁３ａに置くことができて使い勝手が良い。また、複数の突出部６が上縁３ａの周方向に沿って設けられていることにより、無造作に箸５１等を置いた場合や風に押された場合であっても落下せず、交換をしなくて済むという有利な効果を有する。
【００３０】
そして、軽量皿１によれば、下縁３ｂを設置面５０へ接触させる場合と、底上縁３ａを設置面５０へ接触させる場合のいずれにおいても載置部２の底部２ａが水平に維持されることから、載置部２の上面２Ａと裏面２Ｂの両面に同一又は異なる食品をそれぞれ安定的に載置することができる。そのため、例えば、屋外でのバーベキューの際に、最初に上面２Ａを上方にして肉や野菜を盛り付け、その後上縁３ａと下縁３ｂの上下方向を逆転させて裏返し、裏面２Ｂを上方にしてフルーツを盛り付ける、といった１枚で２役の使用が可能となる。このように１枚で２役の使用が可能であることは、上記のような通常のバーベキューの際に便利であるほか、災害時に、断水で洗浄用の水を得られない場合や紙皿の枚数が不足している場合に、特に有用である。  
【００３１】
続いて、実施例の第１の変形例に係る軽量皿について、図４を用いながら説明する。図４（ａ）は実施例の第１の変形例に係る軽量皿を側面視した場合の外観図であり、図４（ｂ）は図４（ａ）におけるＢ線矢視図である。なお、図１乃至図３で示した構成要素については、図４においても同一の符号を付して、その説明を省略する。
図４（ａ）及び図４（ｂ）に示すように、実施例の第１の変形例に係る軽量皿１Ａは、実施例の軽量皿１を構成する凸部４と凹部５（図１参照）が省略され、かつ軽量皿１を構成する側壁３と、その上縁３ａ（図１参照）が、それぞれ滑らかな外周面を有する側壁８と、円筒状の上縁８ａに置換されたものである。このうち、側壁８は載置部２の中心部２ｃを中心として側壁８の周方向について均等に傾斜する斜面を形成している。また、上縁８ａは軽量皿１の突出部６（図１参照）が平坦形状をなす平坦部９に置換され、かつ軽量皿１の溝部７（図１参照）が略Ｕ字状をなす切り欠き１０に置換されている。
【００３２】
したがって、上縁８ａは、図４（ａ）に示すように、側面視で、同一形状をなす複数の切り欠き１０がそれぞれ平坦部９という間隔を空けて、上縁８ａの周方向に沿って繰り返されてなる第２の繰り返し構造をなす。また、図４（ｂ）に示すように複数の平坦部９及び複数の切り欠き１０は、上縁８ａの弦に相当する方向について、それぞれ並列するように配置されている。これにより、複数の切り欠き１０のうちの２箇所を直線状に結ぶ領域Ａ１０（斜線部）が複数箇所に形成されるから、このうちのいずれかの領域Ａ１０に箸５１等の両端が架け渡されることで、箸５１等を切り欠き１０，１０に係止可能である。
なお、突出部６と溝部７の場合と異なり、平坦部９と切り欠き１０の境界は明確である。これ以外の軽量皿１Ａの構成は、実施例に係る軽量皿１の構成と同様である。
【００３３】
上記構成の軽量皿１Ａにおいては、図４（ａ）及び図４（ｂ）に示すように、上縁８ａが設置面５０と接触しない場合に、箸５１等が複数の領域Ａ１０のうちのいずれにも係止される。また、凸部４と凹部５の代わりに上縁８ａを把持することにより、軽量皿１Ａは軽量皿１と同程度に保持され易いという作用を有する。
また、軽量皿１Ａにおいては、凸部４と凹部５を備えないために、これらが発揮する整流作用と同様な整流作用は発揮されないが、側壁８は載置部２の中心部２ｃを中心として側壁８の周方向について均等な斜面を形成していることから、風Ｗ１（図１参照）がいずれの横方向から吹いてきた場合でも、風Ｗ１は載置部２の中心部２ｃを中心として側壁８に沿って上縁８ａに向かって上昇する。これ以外の軽量皿１Ａの作用は、実施例に係る軽量皿１の作用と同様である。
【００３４】
以上、説明したように、軽量皿１Ａによれば、箸５１等が複数の領域Ａ１０のうちのいずれにも係止されるため、無造作に箸５１等を置いた場合であっても確実にこれを保持することができる。また、上縁８ａを把持できるために軽量皿１Ａを持ち上げることも容易である。
さらに、風Ｗ１の進行方向に関わらず、風Ｗ１は中心部２ｃを中心として均等に側壁８に沿って上縁８ａに向かって上昇するので、軽量皿１Ａの飛散や落下を防止できる。これ以外の軽量皿１Ａの効果は、実施例に係る軽量皿１の効果と同様である。
【００３５】
そして、実施例の第２の変形例に係る軽量皿について、図５を用いながら説明する。図５（ａ）は実施例の第２の変形例に係る軽量皿を側面視した場合の外観図であり、図５（ｂ）は図５（ａ）におけるＣ線矢視図である。なお、図１乃至図４で示した構成要素については、図５においても同一の符号を付して、その説明を省略する。
図５（ａ）及び図５（ｂ）に示すように、実施例の第２の変形例に係る軽量皿１Ｂは、実施例の軽量皿１を構成する凸部４と凹部５（図１参照）が省略され、かつ軽量皿１を構成する側壁３と、その上縁３ａ（図１参照）が、それぞれ滑らかな外周面を有する側壁１１と、円筒状の上縁１１ａに置換されたものである。このうち、側壁１１は載置部２の中心部２ｃを中心として側壁１１の周方向について均等に傾斜する斜面を形成している。また、上縁１１ａにおいては軽量皿１の突出部６（図１参照）が略Ｕ字状に上方へ突出する突出部１２に置換され、かつ軽量皿１の溝部７（図１参照）が平坦形状をなす平坦部１３に置換されている。
【００３６】
したがって、上縁１１ａは、図５（ａ）に示すように、側面視で、同一形状をなす複数の突出部１２がそれぞれ平坦部１３という間隔を空けて、上縁１１ａの周方向に沿って繰り返されてなる第１の繰り返し構造をなす。また、図４（ｂ）に示すように複数の突出部１２及び複数の平坦部１３は、上縁１１ａの弦に相当する一の方向（Ｘ方向）及びこれに直交する二の方向（Ｙ方向）について、それぞれ並列するように配置されている。そのため、Ｘ方向について複数の平坦部１３のうちの２箇所を直線状に結ぶ領域Ａ１３（２点鎖線斜線部）が複数箇所に形成されるとともに、Ｙ方向について複数の平坦部１３のうちの２箇所を直線状に結ぶ領域Ａ１３´（破線斜線部）が複数箇所に形成されるから、領域Ａ１３又は領域Ａ１３´に箸５１等の両端がそれぞれ架け渡されることで、箸５１等を平坦部１３，１３に係止可能である。
なお、突出部６と溝部７の場合と異なり、突出部１２と平坦部１３の境界は明確である。これ以外の軽量皿１Ｂの構成は、実施例に係る軽量皿１の構成と同様である。
【００３７】
上記構成の軽量皿１Ｂにおいては、図５（ａ）に示すように、上縁１１ａが設置面５０と接触しない場合に、箸５１等が複数の領域Ａ１３，Ａ１３´のうちのいずれにも係止される。また、凸部４と凹部５の代わりに上縁１１ａを把持することにより、軽量皿１Ｂは軽量皿１と同程度に保持され易いという作用を有する。
また、軽量皿１Ｂにおいても、軽量皿１Ａと同様に、風Ｗ１（図１参照）がいずれの横方向から吹いてきた場合でも、風Ｗ１は載置部２の中心部２ｃを中心として側壁１１に沿って上縁１１ａに向かって上昇する。これ以外の軽量皿１Ｂの作用は、実施例に係る軽量皿１の作用と同様である。
【００３８】
以上、説明したように、軽量皿１Ｂによれば、箸５１等が複数の領域Ａ１３，Ａ１３´のうちのいずれにも係止されるため、無造作に箸５１等を置いた場合であっても確実にこれを保持することができる。また、上縁１１ａを把持できるために軽量皿１Ｂを持ち上げることも容易である。
さらに、軽量皿１Ｂにおいても、軽量皿１Ａと同様に、軽量皿１Ｂの飛散や落下を防止できる。これ以外の軽量皿１Ｂの効果は、実施例に係る軽量皿１の効果と同様である。
【００３９】
最後に、実施例の第３の変形例に係る軽量皿について、図６を用いながら説明する。図６（ａ）は実施例の第３の変形例に係る軽量皿を側面視した場合の外観図であり、図６（ｂ）は図６（ａ）におけるＤ線矢視図である。なお、図１乃至図５で示した構成要素については、図６においても同一の符号を付して、その説明を省略する。
図６（ａ）及び図６（ｂ）に示すように、実施例の第３の変形例に係る軽量皿１Ｃは、実施例の軽量皿１を構成する側壁３と、その上縁３ａ（図１参照）が、それぞれ側壁１４と上縁１４ａに置換されたものである。このうち、側壁１４においては、軽量皿１の側壁３に設けられる凸部４（図１参照）が板状の突出片１５に置換されるとともに側壁３の凹部５（図１参照）は省略されている。また、突出片１５は載置部２の中心部２ｃを中心として３０度毎に放射線状に形成されている。そして、上縁１４ａにおいては、上縁３ａにおける突出部６と溝部７（図１参照）が省略されている。これ以外の軽量皿１Ｃの構成は、実施例に係る軽量皿１の構成と同様である。
【００４０】
上記構成の軽量皿１Ｃにおいては、図６（ａ）に示すように、側面視で上縁１４ａが平坦となっているため、箸５１等が移動し易いものの一時的に載置することは可能である。
また、載置部２の中心部２ｃを中心として放射線状に突出片１５が形成されることによって指が突出片１５に係止されるため、側壁１４を持つときに指が滑らず軽量皿１Ｃが保持され易いという作用を有する。
さらに、上記構成では、側壁３の横方向から風Ｗ１（図１参照）が吹いてきた場合、突出片１５と突出片１５の間に風が流れ込み、風Ｗ１がいずれの横方向から吹いてきた場合でも、その方向に対応する突出片１５によって風Ｗ１は中心部２ｃを中心として均等に整流される。したがって、軽量皿１Ｃにおいても、軽量皿１Ａと同様に、風Ｗ１が吹いてくる方向に関わらず、風Ｗ１は載置部２の中心部２ｃを中心として均等に側壁１４に沿って上縁１４ａに向かって上昇する。これ以外の軽量皿１Ｃの作用は、実施例に係る軽量皿１の作用と同様である。
【００４１】
以上、説明したように、軽量皿１Ｃによれば、突出片１５を把持できるために軽量皿１Ｃを持ち上げることも容易である。
さらに、軽量皿１Ｃにおいても、風Ｗ１の進行方向に関わらず、風Ｗ１は中心部２ｃを中心として均等に側壁１４に沿って上縁１４ａに向かって上昇するので、軽量皿１Ａと同様に、軽量皿１Ｃの飛散や落下を防止できる。これ以外の軽量皿１Ｃの効果は、実施例に係る軽量皿１の効果と同様である。
【００４２】
なお、本発明に係る軽量皿１，１Ａ〜１Ｃは、実施例に示すものに限定されない。例えば、軽量皿１において、側面視で、突出部６及び溝部７が上縁３ａの周方向に沿って、サインカーブを描くように繰り返される代わりに、矩形波や三角波を描くように繰り返されても良い。また、載置部２の底部２ａは、側壁３の上縁３ａから下縁３ｂの間であれば、必ずしも上縁３ａから下縁３ｂのほぼ中間の高さに位置しなくても良く、凹凸が形成されたり、わずかに曲面状に形成されたりしても良い。逆に、載置部２の底部２ａが側壁３の下縁３ｂと同じ高さに下降することで、軽量皿１がリバーシブル構造とならなくても良い。
さらに、軽量皿１，１Ａ〜１Ｃは、それぞれ、紙製である代わりにプラスチック又はアルミニウムから構成されても良く、円形状をなす代わりに多角形状や楕円形状をなしていても良い。また、軽量皿１，１Ａ〜１Ｃを構成する各部の寸法によっては、下縁３ｂの周縁から側壁３，８，１１，１４が立ち上がる角度はそれぞれ約５０度以外であっても良い。
このほか、軽量皿１Ｃにおいて、突出片１５は省略されても良い。
【産業上の利用可能性】
【００４３】
本発明は、風を受けても飛び難い形状の軽量皿として利用可能である。
【符号の説明】
【００４４】
１…軽量皿  ２…載置部  ２ａ…底部  ２ｂ…傾斜部  ２ｃ…中心部  ２Ａ…上面  ２Ｂ…裏面  ３…側壁  ３ａ…上縁  ３ｂ…下縁  ４…凸部  ５…凹部  ６…突出部  ７…溝部  １Ａ…軽量皿  ８…側壁  ８ａ…上縁  ９…平坦部  １０…切り欠き  １Ｂ…軽量皿  １１…側壁  １１ａ…上縁  １２…突出部  １３…平坦部  １Ｃ…軽量皿  １４…側壁  １４ａ…上縁  １５…突出片  ５０…設置面  ５１…箸
【図１】
2020005671.tif 000003
【図２】
2020005671.tif 000004
【図３】
2020005671.tif 000005
【図４】
2020005671.tif 000006
【図５】
2020005671.tif 000007
【図６】
2020005671.tif 000008
【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
植物繊維、合成樹脂及び金属のうちの少なくとも１種類からなる軽量皿であって、
食品を上面に載置する載置部と、この載置部を取り囲む側壁を備え、
前記側壁は、その上縁から下縁にかけて側面視で下に凸の曲線状をなし、かつ前記載置部の中心部を中心として放射線状に凸部及び凹部が形成され、
前記上縁は、側面視で、突出部と溝部が交互に繰り返されてなる繰り返し構造をなし、
前記突出部は、前記凸部の上方に連続して形成され、
前記溝部は、前記凹部の上方に連続して形成され、
前記下縁は、その全周が前記軽量皿を設置する設置面へ接触可能に延設され、
風がいずれの前記側壁の横方向から吹いてきた場合でも、その方向に対応する前記凸部及び前記凹部によって前記風が前記中心部を中心として均等に整流されることを特徴とする軽量皿。
【請求項２】
前記載置部の底部が側面視で前記側壁の前記上縁から前記下縁の中間の高さに位置することで、前記下縁を前記設置面へ接触させる場合と、前記上縁と前記下縁の上下方向を逆転させて裏返し前記上縁を前記設置面へ接触させる場合のいずれにおいても、前記設置面が水平な場合に前記底部が水平に維持されているとともに前記設置面から離れた高さに位置して前記設置面に接触しない、前記載置部における前記上面の裏面に食品を載置し得るリバーシブル構造をなすことを特徴とする請求項１に記載の軽量皿。